(57)【要約】      （修正有）【課題】折畳み式物品収納容器を提供する。【解決手段】底板１の前端部には第一枢支縁１１を、また後端部には第二枢支縁１２を形成し、第二枢支縁１２の底板面よりの高さ寸法を、第一枢支縁１１の底板面よりの高さ寸法より高く形成し、第一枢支縁１１と第二枢支縁１２には上面部より下方に向けて形成した複数のノッチ１１０，１２０を設けると共に、第一枢支縁と第二枢支縁の内側縁面にはそれぞれ嵌合溝１１１，１２１を設け、左，右側板２，２はそれぞれ底板１の左右端部に折畳み自在に枢着され且つ左，右側板２，２の前後側面部はそれぞれ複数の係合突起２１を設けてなり、前，後板３，４は、底板の第一枢支縁および第二枢支縁に設けた嵌合溝に枢支杆５を介して枢着されており、前，後板の壁面にはそれぞれ中央部より互いに反対方向に対称に湾曲した複数の弧状の軌道部材３１，４１を設け、軌道部材の底端部を底板の第一枢支縁および第二枢支縁のそれぞれのノッチ１１０，１２０と対応して装着する。【選択図】図１
0003133715.tif 000002
【実用新案登録請求の範囲】
【請求項１】
矩形状をなす底板の左右端部及び前後端部にそれぞれ左，右側板および前，後板を配設してなる上面開口の折畳み式物品収納容器であって、
前記底板の前端部には第一枢支縁を、また後端部には第二枢支縁を形成し、前記第二枢支縁の底板面よりの高さ寸法を、前記第一枢支縁の底板面よりの高さ寸法より高く形成し、且つ前記第一枢支縁と前記第二枢支縁には上面部より下方に向けて形成した複数のノッチを設けると共に、前記第一枢支縁と前記第二枢支縁の内側縁面には嵌合溝を設け、
前記左，右側板は、それぞれ前記底板の左右端部に折畳み自在に枢着され、且つ前記左，右側板の前後側面部はそれぞれ複数の係合突起を設けてなり、
前記前，後板は、前記底板の第一枢支縁および第二枢支縁に設けた前記嵌合溝に枢支杆を介して枢着されており、前記前，後板の壁面にはそれぞれ中央部より互いに反対方向に対称に弧状に湾曲した複数の軌道部材を設け、該軌道部材の底端部を前記底板の第一枢支縁および第二枢支縁のそれぞれのノッチに対応装着し、かつ前記左，右側板の前，後側係合突起は、それぞれ前記前板の弧状の軌道部材内に移動可能に挿入してなることを特徴とする折畳み式物品収納容器。
【考案の詳細な説明】
【技術分野】
【０００１】
本考案は物品収納容器に関し、特に、箱体の左，右側板並びに前，後板を底板上面に折畳み可能にした折畳み式物品収納容器に関するものである。
【背景技術】
【０００２】
一般の物品収納容器は、上面開放の一体成型の箱体からなり、収納容器の両側板には、それぞれ取手用の開孔を設けて使用者が持上げ易く運搬を便利にしたものが普及しているが、これらの収納容器は形状が定型の大きさの形態であり、収納容器の未使用時における体積が大きいままであって、大きな空間を占有し保管収納する上で困難を伴う問題点がある。
【考案の開示】
【考案が解決しようとする課題】
【０００３】
本考案に係る折畳み式物品収納容器は、上面が開放された立方体または長方体などの矩形状箱体に形成された物品収納容器であって、容器の組立て時にあっては物品を収納しやすく、不使用時にあっては、底板端部に回動可能に連結した箱体の左，右側板並びに前，後板を、底板上面に積層状に折畳み可能としたものであって、保管が容易で、且つ展開並びに折畳み操作が簡単で迅速な折畳み式物品収納容器を提供することを目的とする。
【課題を解決するための手段】
【０００４】
本考案は、矩形状底板の左右端部及び前後端部にそれぞれ左，右側板および前，後板を配設してなる上面開口の折畳み式物品収納容器であって、前記底板の前端部には第一枢支縁を、また後端部には第二枢支縁を形成し、前記第二枢支縁の底板面よりの高さ寸法を、前記第一枢支縁の底板面よりの高さ寸法より高く形成し、前記第一枢支縁と前記第二枢支縁には上面部より下方に向けて形成した複数のノッチを設けると共に、前記第一枢支縁と前記第二枢支縁の内側縁面には嵌合溝を設け、前記左，右側板はそれぞれ前記底板の左右端部に折畳み自在に枢着され、且つ前記左，右側板の前後側面部はそれぞれ複数の係合突起を設けてなり、前記前，後板は、前記底板の第一枢支縁および第二枢支縁に設けた前記嵌合溝に枢支杆を介して枢着されており、前記前，後板の壁面にはそれぞれ中央部より互いに反対方向に対称に弧状に湾曲した複数の軌道部材を設け、該軌道部材の底端部を前記底板の第一枢支縁および第二枢支縁のそれぞれのノッチに対応装着し、かつ前記左右側板の前，後側係合突起は、それぞれ前記前板の弧状の軌道部材内に移動可能に挿入してなることを特徴とする。
【考案の効果】
【０００５】
本考案の折畳み式物品収納容器は、容器の組立て時にあっては中に物品を収納しやすく、不使用時にあっては、底板端部に回動可能に連結した前，後板および左，右側板を、底板上面に折畳み可能としたものであって、従来の定形の物品収納容器と比較して保管が容易で、且つ展開並びに折畳み操作が簡単で迅速な折畳み式物品収納容器を提供できる。
また、保管収納スペースの節約が図れると共に、運搬作業が容易であるという効果がある。
【考案を実施するための最良の形態】
【０００６】
以下、本考案の折畳み式物品収納容器に係る好適な実施形態について図面と共に実施例を説明する。
【実施例】
【０００７】
図１，図２は本考案の折畳み式物品収納容器に係る実施例を示すもので、図１は分解斜視図、図２は組立てた状態の全体斜視図である。
図中、１は正方形或いは長方形などの矩形状の底板で、該底板１の左右端部並びに前後端部には、それぞれ左，右側板２，２と前板３及び後板４とが配設されて、上面開口の収納容器２００が構成される。
【０００８】
前記底板１は、左，右端部に上方に向けて所定の間隔で隆起させた複数の枢接ブロック１０を形成してあり、前記枢接ブロック１０には前後方向に貫通する枢支孔１００が設けられている。
【０００９】
また、底板１の前端部には上方に向けて突設した第一枢支縁１１を設け、底板１の後端部には上方に向けて突設した第二枢支縁１２が設けてある。前記第二枢支縁１２は第一枢支縁１１より底板面からの寸法が高く形成されており、後述の前，後板３，４の折畳みが容易に行なえるようになっている。即ち、底板１面上に先ず前板３を折畳み、次に後板４を折り重ねることができる。
【００１０】
前記第一枢支縁１１と第二枢支縁１２にはそれぞれ上面部より下方に向けて複数のノッチ１１０、１２０が形成されている。また、第一枢支縁１１と第二枢支縁１２の内側縁面には嵌合溝１１１、１２１が形成されている。更にまた、第一枢支縁１１と第二枢支縁１２の両側外端面には後述の枢支杆５が挿入される挿入孔１１２、１２２が設けられている。
【００１１】
一方、前記左，右側板２，２の下端部には、それぞれ前記底板１の左右端部に枢着するための複数の枢接ブロック２０が所定の間隔で形成されている。即ち、前記底板１の所定の間隔で隆起させた部分が左右側板２，２の下部に形成される凹部に嵌合装着されるようになっている。
【００１２】
前記枢接ブロック２０は底板１上の枢接ブロック１０の間に対応させて嵌合設置されていると共に、枢接ブロック２０には前後方向に貫通する枢支孔２００が形成されている。そして、前記底板１の枢接ブロック１０の枢支孔１００と対応させ、枢支杆５を挿入装着することで、左，右側板２，２と底板１の左右端部とが折り曲げ自在に連結される。また、左，右側板２，２の前後側の側縁にはそれぞれ係合突起２１が所定の間隔で複数突設されており、前記前，後板３，４の後述の軌道部材３１，４１に連結されるようになっている。また、左，右側板２，２の中央上方部には運搬用の把持孔２２が開口されている。
【００１３】
前記前板３は底板１の第一枢支縁１１上に枢着されるようになっている。前板３底部には複数の嵌合管３０が設けられており、前記底板１の嵌合溝１１１と嵌合するようになっている。前記嵌合管３０は挿入孔３００を有し、底板１の第一枢支縁１１の挿入孔１１２と対応するようになっており、前記枢支杆５により回動自在に枢着される。
また、前板３にはほぼ中央下部より左右方向に分かれて弧状に湾曲する軌道部材部材状の補助部材３１が複数位置に設けられており、前記補助部材３１の底端は前記底板１の第一枢支縁１１上のノッチ１１０と対応装着される。さらに、前板３の中央上方部には運搬用の把持孔３２が開口されている。
【００１４】
前記後板４は底板１の第二枢支縁１２上に枢着されるようになっている。後板４底部には複数の嵌合管４０が設けられており、前記底板１の嵌合溝１２１と嵌合するようになっている。前記嵌合管４０は挿入孔４００を有し、底板１の第２枢支縁１２の挿入孔１２２と対応するようになっており、前記枢支杆５により回動自在に枢着される。
また、前板４にはほぼ中央下部より左右方向に対称に分かれて弧状に湾曲する軌道部材４１が複数位置に設けられており、前記軌道部材４１の底端は前記底板１の第二枢支縁１２上のノッチ１２０と対応装着される。さらに、後板４の中央上方部には運搬用の把持孔４２が開口されている。
【００１５】
更にまた、前記左，右側板２，２および前，後板３，４の壁面は、通気孔を有する格子状に形成されている。
【００１６】
組み立て時、図１および図２で示されるように、まず、左，右側板２，２を底板１の両側に配設し、左，右側板２，２底部の枢接ブロック２０を底板１上の枢接ブロック１０の間に対応設置し、枢接ブロック２０の枢支孔２００と底板１の枢接ブロック１０の枢支孔１００は対応させ、枢支杆５を挿入して、左，右側板２，２と底板１とを回動自在に連結する。
【００１７】
その後、前板３を底板１の第一枢支縁１１上に配設する。その次に、前板３底部の枢支杆３０と底板１の嵌合溝１１１とを嵌合させ、両側の枢支杆３０の挿入孔３００と底板１の第一枢支縁１１両端の挿入孔１１２とを対応させて枢支杆５により枢着する。
【００１８】
また、左，右側板２，２の前側端面に設けた係合突起２１を、前記前板３の弧状の軌道部材３１内に挿入して、最後に、後板４を底板１の第二枢支縁１２上に配設し、後板３底部の枢支杆４０と底板１の嵌合溝１２１を嵌合させることで、両側の枢支杆４０の挿入孔４００を底板１の第二枢支縁１２両端の挿入孔１２２に対応させて、枢支杆５により枢着する。
そして、左，右側板２，２後側端面に設けた係合突起２１を後板４の弧状の軌道部材４１内に挿入する。これにより、折畳み式物品収納容器の組み立てが完成する。
【００１９】
使用時、図２に示すように、折畳み式物品収納容器を組み合わせた後、物品を収納して使用に供する。
【００２０】
不使用時にあっては、まず、左，右側板２，２を内側に押圧することで、左右側板２，２と底板１の枢支箇所を軸とし、左，右側板２，２の前後側端面に形成した係合突起２１が前，後板３，４の弧状の軌道部材３１，４１の軌道部材内に沿って滑動し、内側に折り畳まれる。
その後、前板３を後方側に押圧し、前記折り畳まれた左右側板２，２の上面に折り重ねる。最後に、後板４を前板３の上部に折り畳み、これにより、折り畳みが完成し、体積が減少し、収納保管に便利な形状とすることができる。
【００２１】
本考案では好ましい実施例を前述の通り開示したが、これらは決して本考案を限定するものではなく、当該技術を熟知する者なら誰でも、本考案の精神と領域を脱しない範囲内で各種の変更や修正を加えることができるものであり、本考案の保護範囲は、実用新案登録請求の範囲に記載した内容を基準とする。
【図面の簡単な説明】
【００２２】
【図１】本考案の折畳み式物品収納容器の一実施例を示す分解斜視図である。
【図２】図１の組合たて状態を示す全体斜視図である。
【図３】本考案の折畳み式物品収納容器の折畳状態を示す動作説明図である。
【図４】本考案の折畳み式物品収納容器の折畳状態を示す動作説明図である。
【図５】本考案の折畳み式物品収納容器の折畳状態を示す斜視図である。
【符号の説明】
【００２３】
１      底板
１０    枢接ブロック
１００  枢支孔
１１    第一枢支縁
１１０  ノッチ
１１１  嵌合溝
１１２  挿入孔
１２    第二枢支縁
１２０  ノッチ
１２１  嵌合溝
１２２  挿入孔
２      左，右側板
２０    枢接ブロック
２００  枢支孔
２１    係合突起
２２    把持孔
３      前板
３０    枢支杆
３００  挿入孔
３１    軌道部材部材
３２    把持孔
４      後板
４０    枢支杆
４００  挿入孔
４１    軌道部材部材
４２    把持孔
５      枢支杆
【図１】
0003133715.tif 000003
【図２】
0003133715.tif 000004
【図３】
0003133715.tif 000005
【図４】
0003133715.tif 000006
【図５】
0003133715.tif 000007